(57)【要約】【課題】オリジナル記録媒体から不正コピーされたデータの使用を確実に防止する。【解決手段】第１セッションＣにオリジナル／コピー判定用アプリケーションプログラムがプリピットの形で記録され、その外側に記録不可能なオリジナル判定用の特定領域Ｄが配置される。特定領域Ｄの外側に当該記録媒体１の本来の再生用データが、第２以降のセッションＥ、Ｆとしてプリピットの形で記録されるか、又は記録可能な構造を持つ追記可能領域Ｇに記録されるか、又は未記録の追記可能領域Ｇが有る。特定領域Ｄのみマルチセッションの定義外として配置され、殆どウォブリングのないプリグルーブがマスタリングにより形成される。【選択図】図３
2006079709.tif 000002
【特許請求の範囲】
【請求項１】
グルーブのウォブル信号の再生が不可の特定領域を備え、この特定領域へのアクセス動作による異常を検知したときのみオリジナル媒体と判定して当該媒体に対するデータ再生又はデータ書き込みの実行を許可し、異常検知のないときはコピー媒体と判定して前記実行を禁止するオリジナル/コピー判定用アプリケーションプログラムが読み取り可能に記録されていることを特徴とする記録媒体。
【請求項２】
リードインエリアとリードアウトエリアとに挟まれたプログラムエリアからなるセッションを複数有し、前記オリジナル/コピー判定用アプリケーションプログラムが最も内側の第１セッションに記録され、この第１セッションの外側に隣接して前記特定領域が配置されていることを特徴とする請求項１記載の記録媒体。
【請求項３】
透明樹脂基板に変調されたウォブリングを有するプリピットがマスタリングによって形成されてなり、前記オリジナル/コピー判定用アプリケーションプログラムを記録したデータ領域、及びこのデータ領域の外側に設けられ前記オリジナル/コピー判定用アプリケーションプログラムの判定結果によって再生可能となる再生専用データを記録したデータ領域からなる再生専用データ領域と、
前記再生専用データ領域の外側に、変調されたウォブリングを有するプリグルーブがマスタリングによって形成されてなり、前記オリジナル/コピー判定用アプリケーションプログラムの判定結果によって書き込み可能となる追記可能領域とを備え、前記特定領域は、
前記オリジナル/コピー判定用アプリケーションプログラムを記録したデータ領域の外側に隣接して、ほとんどウォブリングのないプリグルーブがマスタリングによって形成されてなることを特徴とする請求項１又は２記載の記録媒体。
【請求項４】
記録媒体が記録再生装置にマウントされたとき、この記録媒体に記録されているオリジナル/コピー判定用アプリケーションプログラムを読み取る工程と、
読み取ったオリジナル/コピー判定用アプリケーションプログラムにしたがって当該記録媒体に形成されているグルーブのウォブル信号の再生が不可の特定領域へのアクセスを行う工程と、
このアクセス動作によって異常を検知したとき、当該記録媒体をオリジナルと判定して当該記録媒体に対するデータ再生又はデータ書き込みの実行を許可し、異常の検知のないときは当該記録媒体をコピーと判定して前記実行を禁止する工程とを有することを特徴とする記録再生方法。
【請求項５】
前記特定領域へのアクセスを行う工程が、前記オリジナル/コピー判定用アプリケーションプログラムを記録したデータ領域のリードアウトにアクセスした後、トラッキング状態を維持したままこのリードアウトに隣接する前記特定領域にアクセスする工程を含むことを特徴とする請求項４記載の記録再生方法。
【請求項６】
記録再生装置とホスト機が接続された記録再生システムにおいて、
請求項１ないし３のいずれかに記載の記録媒体又はそのコピー媒体が前記記録再生装置にマウントされたとき、前記ホスト機が当該媒体に記録されている前記オリジナル/コピー判定用アプリケーションプログラムを実行することを特徴とする記録再生システム。
【発明の詳細な説明】
【技術分野】
【０００１】
本発明は、光ディスク等の不正コピー品の不正使用を防止可能とした記媒録体、記録再生方法及び記録再生システムに関する。
【背景技術】
【０００２】
情報を記録する記録媒体として、ＣＤ−ＲＯＭ，ＤＶＤ−ＲＯＭ等の光ディスクが広く普及している。これらの光ディスクは、再生専用光ディスクであり、工場で多量に生産され、オリジナル記録媒体としてユーザに提供される。このような再生専用光ディスクは、原盤露光装置で原盤上に形成されたピット列をスタンパに転写（「マスタリング」と呼ばれる）し、そのスタンパを型として成形基板に転写し、その成形基板に反射膜、保護膜等を付与することにより、ピットとして時間情報（ヘッダアドレス：物理アドレス）と共にデジタルデータを記録したデータ構造を備えており、そのピットに記録された時間情報に基づいてデータを再生している。
【０００３】
一方、近年では、記録可能な光ディスクとして、ＣＤ−Ｒ，ＣＤ−ＲＷ，ＤＶＤ＋Ｒ，ＤＶＤ＋ＲＷディスク等が広く普及している。これらの記録可能な光ディスクでは、全面にグルーブをウォブルさせることにより時間情報が記録されたグルーブが形成されており、そのグルーブが形成された成形基板の上に記録膜（ＣＤ−Ｒ，ＤＶＤ＋Ｒでは色素等、ＣＤ−ＲＷ，ＤＶＤ＋ＲＷでは相変化膜）、反射膜、保護膜等が形成されており、記録された時間情報に一致するようにＣＤ−Ｒ／ＲＷ、ＤＶＤ＋Ｒ／ＲＷライタでマークを書込むことにより、ヘッダアドレス（時間情報）とデータとを記録するような構造になっている。
【０００４】
このような媒体の普及に伴い、記録可能なＣＤ−Ｒ／ＲＷライタ或いはＣＤ−Ｒ／ＲＷ，ＤＶＤ±Ｒ／ＲＷライタは再生専用のＣＤ−ＲＯＭプレーヤにとって代わり、ＰＣ（ホスト機）に標準搭載されるようになり、広く普及している。
【０００５】
ここに、上述したような再生専用光ディスク＝オリジナルディスクに記録されている情報はデジタル情報であり、コピーしても劣化しないことと、記録可能なＣＤ−Ｒ／ＲＷライタ或いはＣＤ−Ｒ／ＲＷ、ＤＶＤ±Ｒ／ＲＷライタの普及に伴い、再生専用光ディスク等のオリジナル記録媒体に記録されたデータやアプリケーションプログラム等の情報が不正にコピーして使用されるという問題が生じている。
【０００６】
このような不正コピーの防止に関しては、例えば、特許文献１に開示された発明によれば、ドライブにマウントされた媒体が再生専用か、書換え可能かを判別し、再生専用媒体（オリジナル）と判別された場合はデータの再生を可とし、書換え可能媒体と判断された場合は再生を不可としており、媒体の識別方法として媒体に使われるカートリッジ形状の違い、或いは媒体からの反射率の違いを用いている。
【０００７】
また、特許文献２に開示された発明では、ＩＤファイルの書換えができるか否かでオリジナルかコピー（書き換え可能媒体）かを判定するようにしている。
【特許文献１】特開平０６−３０２０９２号公報
【特許文献２】特開平０９−２７４７７４号公報
【発明の開示】
【発明が解決しようとする課題】
【０００８】
しかしながら、特許文献１の発明は、カートリッジを用いない媒体に関しては適用できず、また、媒体からの反射率の違いに関しては、オリジナルＣＤとコピーＣＤ−ＲＷとに着目しているが、オリジナルＣＤとコピーＣＤ−Ｒの媒体間では反射率は略同じであり、コピーＣＤ−Ｒの場合には適用できず、不正コピーに対する対応策として不十分である。
また、特許文献２の発明は、コピーされた記録可能媒体（ＣＤ−Ｒ等の1回のみ記録可能な媒体）に適用した場合には、ＩＤが既に記録（コピー）されているので、書換え動作が正常終了せず、オリジナルと判定されてしまう可能性があり、不正コピーに対する対応策として不十分である。
【０００９】
本発明は、このような光ディスク等の記録媒体の不正コピーに関する問題点に対処してなされたもので、オリジナルから不正コピーされたデータの使用を確実に防止して不正コピーに対して適正な対応を採ることができる記録媒体、記録再生方法及び記録再生システムを提供することを目的とする。
【課題を解決するための手段】
【００１０】
すなわち、請求項１の発明の記録媒体は、グルーブのウォブル信号の再生が不可の特定領域を備え、この特定領域へのアクセス動作による異常を検知したときのみオリジナル媒体と判定して当該媒体に対するデータ再生又はデータ書き込みの実行を許可し、異常検知のないときはコピー媒体と判定して前記実行を禁止するオリジナル/コピー判定用アプリケーションプログラムが読み取り可能に記録されていることを特徴とする。
【００１１】
請求項１の発明においては、グルーブのウォブル信号の再生が不可の特定領域へのアクセス動作はウォブル同期信号が得られないため異常となり、この特定領域があらかじめ形成された記録媒体はアクセス動作の異常検知によりオリジナルと判定される。一方、コピー媒体は、ウォブル信号の再生が不可のグルーブを持つ特定領域はないので、アクセス動作の異常は検知されずコピーと判定される。これにより、オリジナルかコピーかの判別が容易となり、コピー媒体の不正使用を防ぐことが可能となる。
【００１２】
請求項２の発明は、請求項１の記録媒体において、リードインエリアとリードアウトエリアとに挟まれたプログラムエリアからなるセッションを複数有し、前記オリジナル/コピー判定用アプリケーションプログラムが最も内側の第１セッションに記録され、この第１セッションの外側に隣接して前記特定領域が配置されていることを特徴とする。
【００１３】
請求項３の発明は、請求項１又は２の記録媒体において、透明樹脂基板に変調されたウォブリングを有するプリピットがマスタリングによって形成されてなり、前記オリジナル/コピー判定用アプリケーションプログラムを記録したデータ領域、及びこのデータ領域の外側に設けられ前記オリジナル/コピー判定用アプリケーションプログラムの判定結果によって再生可能となる再生専用データを記録したデータ領域からなる再生専用データ領域と、前記再生専用データ領域の外側に、変調されたウォブリングを有するプリグルーブがマスタリングによって形成されてなり、前記オリジナル/コピー判定用アプリケーションプログラムの判定結果によって書き込み可能となる追記可能領域とを備え、前記特定領域は、前記オリジナル/コピー判定用アプリケーションプログラムを記録したデータ領域の外側に隣接して、ほとんどウォブリングのないプリグルーブがマスタリングによって形成されてなることを特徴とする。
【００１４】
請求項４の発明の記録再生方法は、記録媒体が記録再生装置にマウントされたとき、この記録媒体に記録されているオリジナル/コピー判定用アプリケーションプログラムを読み取る工程と、読み取ったオリジナル/コピー判定用アプリケーションプログラムにしたがって当該記録媒体に形成されているグルーブのウォブル信号の再生が不可の特定領域へのアクセスを行う工程と、このアクセス動作によって異常を検知したとき、当該記録媒体をオリジナルと判定して当該記録媒体に対するデータ再生又はデータ書き込みの実行を許可し、異常の検知のないときは当該記録媒体をコピーと判定して前記実行を禁止する工程とを有することを特徴とする。
【００１５】
請求項５の発明は、請求項４の記録再生方法において、前記特定領域へのアクセスを行う工程が、前記オリジナル/コピー判定用アプリケーションプログラムを記録したデータ領域のリードアウトにアクセスした後、トラッキング状態を維持したままこのリードアウトに隣接する前記特定領域にアクセスする工程を含むことを特徴とする。
【００１６】
請求項６の発明は、記録再生装置とホスト機が接続された記録再生システムにおいて、請求項１ないし３のいずれかに記載の記録媒体又はそのコピー媒体が前記記録再生装置にマウントされたとき、前記ホスト機が当該媒体に記録されている前記オリジナル/コピー判定用アプリケーションプログラムを実行することを特徴とする。
【発明の効果】
【００１７】
本発明によれば、コピー媒体は全体がアクセス可能な構造を有することから、オリジナルの記憶媒体にアクセス不可能なディスク構造の特定領域を設け、この特定領域へのアクセス動作による異常の有無からオリジナルかコピーかの判別を行い、コピー媒体と判定した場合には再生及び書き込みの実行を禁止するアプリケーションプログラムを記録させておくことにより、オリジナルの記憶媒体からコピーしたデータの不正使用を確実に防止することができ、容易に不正コピーに対して適切な対応をとることができる。
【発明を実施するための最良の形態】
【００１８】
以下、図面に基づいて本発明を実施するための最良の形態を説明する。
まず、本発明の一実施の形態にかかる記録再生装置の構成例を図１に示す。本実施の形態は、記録媒体１として、ＣＤ−ＲＯＭ等の再生専用光ディスクの他に、一度だけ書込み可能でＣＤフォーマットに準拠した記録可能なＣＤ−Ｒ（ＣＤ−Recordable）なる追記型の光ディスクやＣＤフォーマットに準拠した記録可能なＣＤ−ＲＷ（ＣＤ−Rewritable）なる書換え型の光ディスクを対象とする光ディスク装置（ドライブ）への適用例を示す。
【００１９】
図１に示す光ディスク装置の概略構成及び動作について説明する。
ＣＤ系ディスクでは、ディスク基板上の色素材料或いは相変化材料にデータで変調されたレーザー光を照射して、ピットあるいはマークを形成し、これらにレーザ光を当てて、その反射光の変化でデータを読み取る。このデータ列はレコードのようにディスク基板上に螺旋状に並べられている。この螺旋状に配された線をトラックと呼んでおり、隣り合うトラック間の距離は１．６μｍである。
【００２０】
このような記録媒体（光ディスク）１は駆動手段としてのスピンドルモータ２によって回転駆動される。スピンドルモータ２はモータドライバ３とサーボ手段４とによって線速度一定（ＣＬＶ）又は回転数一定（ＣＡＶ）となるように制御される。その線速度は段階的に変更が可能である。
【００２１】
光ピックアップ５は半導体レーザ、光学系、フォーカシングアクチュエータ、トラッキングアクチュエータ、受光器、ポジションセンサ等を内蔵しており、レーザ光を記録媒体（光ディスク）１の記録面に照射する。この光ピックアップ５は、図示しないシークモータによりスレッジ方向（ディスク半径方向）に移動可能とされている。これらのフォーカシングアクチュエータ、トラッキングアクチュエータ、シークモータは、受光器やポジションセンサから得られる信号に基づきモータドライバ３とサーボ手段４とによってレーザスポットを記録媒体（光ディスク）１上の目的の場所に位置させるように制御する。
【００２２】
データ再生時には、光ピックアップ５で得られた再生信号をリードアンプ６で増幅してイコライザ処理や２値化（デジタル化）処理した後、ＣＤデコーダ７に入力してＥＦＭ復調する。即ち、ＥＦＭ信号は、光学的に再生又は記録しやすいように８ビットデータを１４ビットデータに変調したデータであり、ＥＦＭ復調されたデータはデインターリーブ（並べ替え直し処理）とエラー訂正の処理を行う。さらに、そのデインターリーブとエラー訂正の処理後のデータをＣＤ−ＲＯＭデコーダ８に入力してデータの信頼性を高めるためのエラー訂正処理を行う。
【００２３】
その後、ＣＤ−ＲＯＭデコーダ８で処理したデータをバッファマネージャ９によって一旦バッファＲＡＭ１０に蓄積し、セクタデータとして揃ったときにＡＴＡＰＩやＳＣＳＩといったインタフェース１１によってホスト側へ一気に転送する。また、音楽データの場合、ＣＤデコーダ７から出力されるデータをＤ／Ａコンバータ１２に入力してアナログのオーディオ信号を取り出す。
【００２４】
一方、データ記録時には、ＡＴＡＰＩやＳＣＳＩといったインタフェース１１によってホストから転送されたデータを受信すると、そのデータをバッファマネージャ９によって一旦バッファＲＡＭ１０に蓄積する。バッファＲＡＭ１０に或る程度のデータが溜まったときに記録を開始するが、その前にレーザスポットを書き込み開始地点に位置させる。その書き込み開始地点は、トラック（プリグルーブ）の蛇行によって予め光ディスク１に刻まれているウォブル信号であるＡＴＩＰ（Absolute Time In Pre-groove）信号によって求められる。ＡＴＩＰ信号は光ディスク上の絶対番地を示す時間情報であり、ＡＴＩＰデコーダ１３によってＡＴＩＰ信号の情報を取り出すとともに、ＡＴＩＰエラーを検出してＡＴＩＰ信号の検出エラー率を計測する。
【００２５】
また、ＡＴＩＰデコーダ１３が生成する同期信号は、ＣＤエンコーダ１４に入力されて正確な位置でのデータの書き出しを可能にしている。バッファＲＡＭ１０のデータは、ＣＤ−ＲＯＭエンコーダ１５やＣＤエンコーダ１４でエラー訂正コードの付加やインターリーブ（並べ替え）を行った後、ＥＦＭ変調され、レーザコントロール回路１６、光ピックアップ５を介して記録媒体（光ディスク）１に記録される。
【００２６】
このような光ディスク装置は、上述の各部の動作を制御するためのＣＰＵ１７、ＲＯＭ１８及びＲＡＭ１９からなるマイクロコンピュータを備えている。
【００２７】
このような構成の光ディスク装置２１は、例えば、図２に示すように、ＰＣ等のホスト機２２に接続されて、記録再生システムを構成し、当該記録再生システムにおいてホスト機２２による制御の下に活用される。当該記録再生システムにおけるホスト機２２は、主制御装置２４、インタフェース２５、記録装置（ハードディスクドライブＨＤＤ）２６、入力装置２７及び表示装置２８などを備えている。主制御装置２４は、マイクロコンピュータ、メインメモリ（何れも不図示）などを含んで構成され、ホスト全体を制御する。インタフェース２５は、光ディスク装置２１との双方向の通信インタフェースであり、ＡＴＡＰＩ及びＳＣＳＩ等の標準インタフェースに準拠している。インターフェース２５は光ディスク装置２１のインタフェース１１と接続されている。なお、各インターフェース１１，２５間の接続形態は、通信ケーブル（例えばＳＣＳＩケーブル）などの通信線を用いたケーブル接続だけでなく、赤外線などを利用したワイヤレス接続であっても良い。
【００２８】
記録装置（ＨＤＤ）２６には、主制御装置２４のマイクロコンピュータで解読可能なコードで記述されたプログラムが格納されている。なお、当該情報処理装置の駆動電源がオン状態になると、上記プログラムは主制御装置２４のメインメモリにロードされる。表示装置２８は、例えばＣＲＴ、液晶ディスプレイ（ＬＣＤ）及びプラズマディスプレイパネル（ＰＤＰ）などの表示部（図示省略）を備え、主制御装置２４からの各種情報を表示する。入力装置２７は、例えばキーボード、マウス及びポインティングデバイスなどのうち少なくとも１つの入力媒体（図示省略）を備え、ユーザから入力された各種情報を主制御装置２４に通知する。なお、入力媒体からの情報はワイヤレス方式で入力されても良い。また、表示装置２８と入力装置２７とが一体化したものとして、例えばタッチパネル付きＣＲＴなどがある。
【００２９】
また、ホスト機２２はオペレーティングシステム（以下「ＯＳ」という）を搭載している。そして、ホスト機２２を構成する全てのデバイスはＯＳによって管理されているものとする。
【００３０】
次に、このような記録再生システムで使用される記録媒体１について説明する。本実施の形態の記録媒体１においては、例えばオレンジブック規格で規定されるＣＤ−Ｒ／ＲＷのマルチセッション方式で必要なデータが記録されている。即ち、マルチセッション方式は、リードインエリアとリードアウトエリアとに挟まれたプログラムエリアからなる単位を１セッションとし、このようなセッションをディスク半径方向に複数有する方式である。
【００３１】
本実施の形態では、マスタリングの段階で、図３に示すように、第１セッションＣにオリジナル／コピー判定用アプリケーションプログラムが記録され、その外側にオリジナル判定のための特定領域Ｄが記録不可能なディスク構造を持って配置される。該特定領域Ｄの外側に第２セッション以降Ｅ、Ｆとして、当該記録媒体１の目的とする本来の再生用データがマスタリングされた形で記録されているか、または、記録可能であるディスク構造を持つ追記可能領域Ｇに記録されているか、または追記可能な未記録領域が有る。前記特定領域Ｄのみマルチセッションの定義外として配置される。図３において、Ａはセンターホール、Ｂはクランプ領域である。なお、第１セッションの第１トラックに前記アプリケーションプログラム、第２トラックに再生用データが記録されていても良い。
【００３２】
該記録媒体１のマスタリング後の状態はディスクがクローズしていないデータ構造となっている。具体的には、各セッションのリードインエリアのサブコードＱフレームはマルチセッションを示す POINT＝Ｂ０として記録されている。また、最終セッションのリードインエリアに記録される「次にデータ記録可能な開始時間（Start time of next possible program in the Recordable Area）」に、追記可能領域の追記セッションのプログラムエリアの開始時間（Start time）が記録され、この値は「最も外側にリードアウト（Lead Out）を記録する場合の記録開始時間（Maximum start time of outer most Lead-out Area）」より小さい値に設定されている。
【００３３】
なお、アプリケーションプログラムが記録される第１セッションのリードインエリアに記録される「次にデータ記録可能な開始時間」に関しては、第２セッションのプログラムエリアの開始時間をアプリケーションプログラムで予め認識しているため、記録しておかなくても良い。また、オリジナル判定のための特定領域のセッションは未記録状態、即ちプリピットではなく、グルーブの状態になっており、該ウォブルの振幅はウォブル同期信号を再生不可とする程度の振幅、例えば規格においてWobble  ＣＮでＣＤ−Ｒ／ＲＷ、ＤＶＤ＋Ｒ／ＲＷで４５ｄＢ以上を大きく下回るような振幅、極端には振幅なし、即ちウォブルなしでも良い。
【００３４】
このようなデータ構造の記録媒体１の物理的構造例について図３を参照して説明する。本実施の形態の記録媒体１は、アプリケーションプログラム、再生用データが記録されている再生専用としてのＲＯＭ領域構造と追記が可能な記録可能領域構造、及びオリジナル判定のための特定領域である記録が不可能な構造とから構成されている。まず、オリジナル/コピー判定用アプリケーションプログラム、再生用データが各々第１セッションＣ、第２セッション以降Ｅ、Ｆとして各々マスタリングによるプリピットの形で基板に形成されている。また、プリピットがマスタリングされたセッションＦの外側は追記可能領域Ｇであり、マスタリングによるプリグルーブが形成されている。オリジナル判定のための特定領域Ｄは、オリジナル/コピー判定用アプリケーションプログラムが記録された第1セッションＣの外側に隣接して、かつ第２セッションＥの内側に、追記可能領域Ｇと同様に基板上にプリグルーブが形成されて配置される。これらの全てのプリピット及びプリグルーブは、ＡＴＩＰ情報を含ませるために通常変調されたウォブリングを持っているが、当該特定領域Ｄは、追記可能領域Ｇのグルーブのウォブル幅と異なりウォブル信号データが再生できない程度、極端には振幅なし設定される。
【００３５】
これらのプリピット及びプリグルーブが形成された透明樹脂基板上にはＣＤ−Ｒの場合はシアニン系、フタロシアニン系、アゾ系等の有機色素をスピナー塗布で設け、その上に金、銀等の反射層がスパッタリングで設けられる。ＣＤ−ＲＷの場合は基板上に無機酸化物からなる下部誘電体層、記録層としての相変化材料、無機酸化物からなる上部誘電体層、アルミニウム、銀等からなる反射層が順次スパッタリングにより設けられる。さらに反射層の上には保護膜が設けられている。
【００３６】
このような記録媒体１がＣＤ−ＲやＣＤ−ＲＷを利用して不正にコピーされた場合、そのコピー媒体１ｃにおいて、オリジナル/コピー判定用アプリケーションプログラム、マスタリングされた再生用データ、追記された再生用データがコピーされることとなる。
【００３７】
このような構成において、オリジナルの記録媒体１又はコピー媒体１ｃが光ディスク装置２１にマウントされると、図４に示すように、その第１セッションに記録されているオリジナル/コピー判定用アプリケーションプログラムが起動し（ステップＳ−１）、ホスト機２２の主制御装置２４にてオリジナル/コピー判定用アプリケーションプログラムによる光ディスクの真贋判定処理（オリジナルかコピーかの判定処理）を開始する。
【００３８】
まず、オリジナル判定のための特定領域にアクセスする。この時のアクセスのプロセスは、前記特定領域の内側に隣接する、ＡＴＩＰ情報によりウォブルしたプレピットの領域である第１セションのリードアウトに先ずアクセスし（ステップＳ−２）、この後、トラッキングした状態で前記特定領域にアクセスする（ステップＳ−３）。この理由は、オリジナル媒体の特定領域のグルーブはウォブリングしていないので、回転サーボが不能となり、スピンドル回転が暴走する可能性を少なくするためである。
【００３９】
媒体がオリジナルの場合は、前記したように特定領域のグルーブのウォブルは無いか、または極端にウォブル振幅が小さいので、特定領域にアクセスした段階でドライブはウォブル信号を再生できないため、ウォブル同期信号が得られず、スピンドルの回転制御が不能となることで、ドライブのファームウエアーはエラーをステータスに立てる。エラーとなった段階で、ドライブは前記特定領域外の、グルーブがウォブリングしている領域にアクセスするのが望ましい。媒体がコピーの場合は、全面がウォブルされたグルーブを持つので、特定領域のアクセスした段階で前記したようなエラーは発生しない。
【００４０】
したがって、ステップＳ−４において、エラー発生の有無を検証し、エラー発生しない場合はコピー媒体と認識し、記録・再生不可のメッセージを出し（ステップＳ−５）、確認ボタンで操作終了となる（ステップＳ−６、Ｓ−８）。ステップＳ−４でエラー発生の場合は、オリジナル媒体と認識され、以後の記録再生処理が実行される（ステップＳ−７）。この時の第２セッションのアクセスは予めアプリケーションソフトで設定されたアドレスへアクセスする。
【００４１】
以上の説明からも明らかなように、本実施の形態においては、追記可能なオリジナル記録媒体の特定領域をアクセス不可能なディスク構造とし、一方不正なコピー媒体はアクセス可能であることが必要な点に着目し、当該媒体が記録再生装置にマウントされた場合にはホスト機に当該媒体中のオリジナル判定のための前記特定領域に対してアクセス動作を実行させ、このアクセス動作の実行に伴いアクセス不可の状態を検知した場合には当該媒体をオリジナル記録媒体と判定してその追記可能領域への書き込み及び再生用データ領域の再生を可能とする一方、アクセス可能であった場合には当該媒体をコピー媒体と判定してその追記可能領域への書き込み及び再生用データ領域の再生を不可とする処理を実行させるオリジナル／コピー判定用アプリケーションプログラムを再生用データとともに記録させておき、ドライブへのマウント後に該アプリケーションプログラムが実行されることにより、不正なコピー媒体を実質的に使用できず価値のないものとすることができる。
【００４２】
また、オリジナル記憶媒体のデータ構造を、マルチセッション方式で、当該媒体がクローズされていない追記可能な状態とし、追記可能領域は物理的に記録可能なディスク構造としているので、新たな必要データを新セッションとして記録媒体に追加することが可能である。
【実施例】
【００４３】
以下、実施例を挙げて本発明をさらに説明する。
基板の表面上に、オリジナル/コピー判定用アプリケーションプログラムを記録するプログラムエリアとする第1セッションとして、ＴＯＣ及びリードアウトまで（半径約２６ｍｍまで）深さ３０３０Ａ、巾０．６μｍ、トラックピッチ１．６μｍのピット、及び該ピットを繋ぐ深さ１７００Ａ、巾０．４μｍのピット間グルーブを設けた。ピット及びピット間グルーブのウォブル振幅は４０ｎｍである。その外側にオリジナル判定のための特定領域として、深さ１７００Ａ、巾０．７μｍ、トラックピッチ１．６μｍの案内溝を有する領域を設け、ウォブル振幅は０ｎｍとした。その外側に追記用及び再生用エリアとする第２セッション以降のエリアとして深さ１７００Ａ、巾０．７μｍ、ウォブル振幅２０ｎｍのグルーブを設けた直径１２０ｍｍの基板を用意した。前記特定領域を除いて、各ピット、ピット間グルーブ、グルーブはＡＴＩＰ情報を有するウォブリング構造持っている。
【００４４】
この基板上に、フタロシアニン色素を主体とする光吸収層をエチルシクロヘキサンからなる混合溶媒を塗布液としてスピンコートすることにより設けた。光吸収層塗布後、１００℃、３０分で熱処理後、スパッタ法によりＡｇを約１４００Ａの厚さに設け反射層とした。その上に紫外線硬化樹脂をスピナーにより塗布し、紫外線で硬化させ約５μｍの保護層を設けて、ＣＤ−Ｒ光記録媒体を得た。
【００４５】
次に前記オリジナル判定のための特定領域を再生したところ、ウォブル信号再生エラーが発生し、正常再生ができなかった。
【００４６】
この記録媒体を光ディスク装置にマウントし、一連の真贋判定処理および記録再生を行なったところ、図４のフローに従った結果が得られた。
【図面の簡単な説明】
【００４７】
【図１】本発明の一実施の形態にかかる記録再生装置の構成例を示すブロック図である。
【図２】本発明の一実施の形態にかかる記録再生システムの構成例を示すブロック図である。
【図３】本発明の一実施の形態にかかる記録媒体の半径方向の構成例を示す概略図である。
【図４】本発明の一実施の形態にかかる記録再生システムの真贋判定処理動作を示すフロー図である
【符号の説明】
【００４８】
１‥‥記録媒体
２１‥‥光ディスク装置
２２‥‥ホスト機
【図１】
2006079709.tif 000003
【図２】
2006079709.tif 000004
【図３】
2006079709.tif 000005
【図４】
2006079709.tif 000006